(57)【要約】      （修正有）【課題】多機能を集成し、コストを削減し、携帯に便利な多機能コンピュータ充電電池応用システムを提供する。【解決手段】パソコン充電電池の応用システムは、コンピュータユニットと、充電電池本体と、充電電池本体とコンピュータ本体を接続して充電電池本体がコンピュータ本体のために電力を供給し、または充電するようにするコンピュータインタフェースと、を備える。充電電池本体は拡張応用機能モジュールのために電力を供給し、または充電する。拡張応用機能モジュールは、埋め込み式により前記充電電池本体と一体に結合し、または取外し可能式により充電電池本体と結合する。【選択図】図１
0003171425.tif 000002
【実用新案登録請求の範囲】
【請求項１】
多機能コンピュータ充電電池応用システムであって、コンピュータユニットと、コンピュータの充電電池本体と、前記充電電池本体とコンピュータ本体を接続して前記充電電池本体が前記コンピュータ本体のために電力を供給し、または充電するようにするコンピュータインタフェースと、を備え、
前記コンピュータユニットはハンドヘルド式ノートパソコンまたはポケット式コンピュータのコンピュータ機能モジュールとして設けられており、かつ、拡張応用機能モジュールを更に備えており、前記充電電池本体は前記拡張応用機能モジュールのために電力を供給し、または充電するように設けられており、ここで、前記拡張応用機能モジュールは、埋め込み式により前記充電電池本体と一体に結合し、または取外し可能式により充電電池本体と結合することを特徴とする多機能コンピュータ充電電池応用システム。
【請求項２】
前記拡張応用機能モジュールは携帯電話モジュールであり、該携帯電話モジュールは有線または無線方式によりコンピュータに接続されていることを特徴とする請求項１に記載の多機能コンピュータ充電電池応用システム。
【請求項３】
前記拡張応用機能モジュールは携帯電話モジュールであり、該携帯電話モジュールとコンピュータユニットがＳＳＤを共有していることを特徴とする請求項１に記載の多機能コンピュータ充電電池応用システム。
【請求項４】
前記拡張応用機能モジュールはスキャナーモジュールであり、前記スキャナーモジュールは有線または無線方式によりコンピュータユニットと接続していることを特徴とする請求項１に記載の多機能コンピュータ充電電池応用システム。
【請求項５】
前記拡張応用機能モジュールは投影装置モジュールであり、前記投影装置モジュールは有線または無線方式によりコンピュータユニットと接続しており、または
前記拡張応用機能モジュールはプリンタモジュールであり、前記プリンタモジュールは有線または無線方式によりコンピュータユニットと接続していることを特徴とする請求項１に記載の多機能コンピュータ充電電池応用システム。
【請求項６】
前記拡張応用機能モジュールは全地球測位システムＧＰＳモジュールであり、前記全地球測位システムモジュールは有線または無線方式によりコンピュータユニットと接続しており；または
前記拡張応用機能モジュールはマイクロ型ＣＤ−ＲＯＭドライブモジュールであり、前記マイクロ型ＣＤ−ＲＯＭドライブモジュールは有線または無線方式によりコンピュータユニットと接続していることを特徴とする請求項１に記載の多機能コンピュータ充電電池応用システム。
【請求項７】
前記拡張応用機能モジュールはインタホンモジュールであり、前記充電電池は取外し可能であるインタホン電源のインタフェースまたは充電電源のインタフェースを利用することを特徴とする請求項１に記載の多機能コンピュータ充電電池応用システム。
【考案の詳細な説明】
【技術分野】
【０００１】
本考案は、コンピュータ領域、電気化学技術領域、通信技術領域、ネットワーク技術領域に関し、特に多機能コンピュータ充電電池システムに関する。
【背景技術】
【０００２】
通信技術の発展により、電気通信業務の需要は固定とモバイルの融合、音声とインターネットの応用を結合する総合情報サービスへ転換し、無線広域ネットワークの端末は音声／データ通信を集成して巨大な価値を生成する。
【０００３】
現代人のオフィスモバイル性は段々鮮明になり、人数も段々増えている。人々は空港、ホテル、市区のレジャー広場、喫茶店内、地下鉄駅、郊外公園内などの普段の出入りと停留の場所で、地理的位置の制限を受けず、随時随所で音声通信を行い、かつ、インターネットへのアクセスを必要とする。
【０００４】
その他に、コンピュータＰＣの小型化と多機能化はコンピュータ技術の発展の大きな傾向である。コンピュータが、３０トンの重さ、１部屋の大きさから５００グラム以下のハンドヘルド式ノートパソコンまたはポケット式ＰＣに発展されたときに、表示面積が小さいなどの新しい応用問題が発生する。同時に、通信デバイス、汎用外部デバイスと他のデバイスの機能の集成に対しても、予定を上げている。
【０００５】
例えば、集成携帯電話機能を例として、現在は、パーソナルデジタルアシスタント（ＰＤＡ）携帯電話、またはスマートホンにより実現する方法と、携帯電話とノートパソコンを結合する方法との２つの方法を利用している。
【０００６】
ＰＤＡ携帯電話またはスマートホンは埋め込み式システムにより携帯電話上でＰＤＡ機能を集成して、担当者、任務、日程、書き置きなどの個人情報管理（ＰＩＭ）を実現することができ、かつ、狭帯域条件でインターネットへアクセスして、メールの受発信などの文字と小画像の処理を主内容とするインターネットへの応用を実現することができる。しかし、ＰＤＡ携帯電話の基本アーキテクチャは汎用コンピュータのＸ８６アーキテクチャとは異なっており、ハードウェアの構成が低くて、ソフトが閉鎖固化され、標準が不統一で、相互運用が弱くて、拡張性が不良で、操作が複雑であるなどの欠点を有する。例えば新浪、捜狐、ＱＱのトップページのような大型の画像と文字が混合しているページに対して“インターネットへのアクセスが可能であるが、インターネットへのアクセスが不適切”である。普段は文字と一部の小画像を集中して示しているだけで、ユーザーに対してはデスクトップパソコンのようなフルインターネット体験（Ｆｕｌｌ  Ｉｎｔｅｒｎｅｔ  Ｅｘｐｅｒｉｅｎｃｅ）を提供することができなくなり、数百メガの大容量のファイルもメモリ制限のためダウンロードと放送が不可能である。広域モバイルインターネット状態で応用するときに、上述の構造の欠陥により、ダウンロード速度とネットワーク応用の主なハードウェアボトルネックになる。
【０００７】
３Ｇ／３．５Ｇ通信技術を実現している国家において、現在多くの人は普通のノートパソコンに携帯電話を加えたモバイル解決方法を採用している。即ち、携帯電話を用いて音声通信とＰＩＭ管理を完成し、ノートパソコンを用いて広域インターネットへのアクセスとモバイルオフィス環境を実現する。該方法の主な欠点は、それぞれの機能がそれぞれ独立し、かつ、２セットの電源システムを必要とし、購買コストが高くて、使用費用が高くて、音声とデータの統一管理ができない。
【考案の概要】
【考案が解決しようとする課題】
【０００８】
本考案が解決しようとする技術方法として、多機能コンピュータ充電電池応用システムと応用方法を提供して、多機能の集成を実現し、かつ、１セットの充電システムを利用してコンピュータと拡張応用機能モジュールのために同時に電力を供給して多機能応用を拡張することができ、小型化の汎用外部デバイスと通信デバイスの応用拡張機能を実現し、コストを節約し、かつ、携帯が便利であり、資源の有効活用を実現することができる。
前記問題を解決するため、本考案は下記の技術方法を採用する。
【０００９】
多機能コンピュータ充電電池応用システムであって、該システムはコンピュータユニットと、該コンピュータ充電電池本体と、前記充電電池本体とコンピュータ本体を接続して前記充電電池本体が前記コンピュータ本体のために電力を供給し、または充電するようにするコンピュータインタフェースと、を備え、前記コンピュータユニットはハンドヘルド式ノートパソコンまたはポケット式コンピュータのコンピュータ機能モジュールとして設けられており、かつ、拡張応用機能モジュールを更に備えており、前記充電電池本体は前記拡張応用機能モジュールのために電力を供給し、または充電するように設けられており、前記拡張応用機能モジュールは、埋め込み式により前記充電電池本体と一体に結合し、または取外し可能式により充電電池本体と結合する。
多機能コンピュータ充電電池の応用方法であって、該方法は、
【００１０】
コンピュータユニットをハンドヘルド式ノートパソコンのコンピュータ機能モジュール、またはポケット式コンピュータのコンピュータ機能モジュールとして設ける手順と、
【００１１】
充電電池本体と、前記充電電池本体とコンピュータユニットを接続して前記充電電池本体が前記コンピュータユニットのために電力を供給し、または充電するようにするインタフェースと、を提供する手順と、
【００１２】
前記充電電池体と拡張応用機能モジュールを接続して前記充電電池本体が前記拡張応用機能モジュールのために電力を供給し、または充電するようにする拡張コンピュータインタフェースを提供する手順と、
【００１３】
埋め込み式を用いて拡張応用機能モジュールと前記充電電池本体を一体に結合し、または取外し可能式を用いて拡張応用機能モジュールと充電電池本体を結合し、かつ、コンピュータユニットと拡張応用機能モジュールのそれぞれの機能を結合して、多機能応用を実現する手順と、を備える。
【考案の効果】
【００１４】
本考案は従来技術に比べて、
本考案のコンピュータユニットは、ハンドヘルド式ノートパソコンまたはポケット式コンピュータのコンピュータ機能モジュールを利用しており、該コンピュータユニットの充電電池は該コンピュータユニットのために電力を供給すると同時に、接続されている拡張応用機能モジュールのために電力を供給し、その他に、コンピュータユニットと拡張応用機能モジュールのそれぞれの機能を結合することにより、多機能の集成および拡張応用を実現することができ、コストを節約し、携帯が便利で、資源の有効的な活用を実現することができ、ノートパソコンがポケットに入れるほど小さくなったときに、必要とされる汎用外部デバイスと通信デバイスの応用拡張機能を解決し、かつ、ポケット式コンピュータと汎用外部デバイス、通信デバイスと他のデバイスの全内蔵（埋め込み式または取外し可能式を含む）、小型化、一体化を実現することができる。
【図面の簡単な説明】
【００１５】
【図１】本考案の多機能コンピュータ充電電池応用システムの実施例の構成図である。
【図２】本考案の多機能コンピュータ充電電池応用システムの実施例の立体構造図である。
【図３】本考案の多機能コンピュータ充電電池応用方法のプロセスを示す図である。
【考案を実施するための形態】
【００１６】
本考案のコンピュータと拡張応用機能モジュールは１つの充電電池を共有するため、コストを低減し、かつ、携帯に便利である。
【００１７】
本考案の実施例での拡張応用機能モジュールは投影装置モジュール、携帯電話モジュール、インタホンモジュール、スキャナーモジュール、プリンタモジュール、ＧＰＳモジュール、マイクロ型ＣＤ−ＲＯＭドライブモジュールでも可能であり、充電電池は投影装置にモジュール、携帯電話モジュール、インタホンモジュール、スキャナーモジュール、プリンタモジュール、ＧＰＳモジュール、マイクロ型ＣＤ−ＲＯＭドライブモジュールに対応する電源インタフェースまたは充電電源インタフェースを提供する。具体的に実現するとき、前記は拡張応用機能モジュールとコンピュータは全内蔵を実現し、例えば、埋め込み式により前記充電電池本体と共に一体に結合され、即ち、拡張応用機能モジュールをコンピュータ内に埋め込み、コンピュータの一部分として固定され、または取外し可能式により充電電池本体との結合を利用し、即ち、コンピュータとの取外しを実現し、携帯時に一体に取り付けて、使用するときは充電電池内から取り出すことができる。
次は、拡張応用機能モジュールを携帯電話モジュールにする例を用いて本考案に対して詳細に説明する。
【００１８】
図１と図２は、それぞれ本考案の多機能コンピュータ充電電池の応用システムの実施例を示す図、本考案の多機能コンピュータ充電電池の応用システムの実施例を示す立体図である。
【００１９】
本実施例の多機能コンピュータ充電電池の応用システムはコンピュータユニット１０と、多機能コンピュータ充電電池２０と、拡張応用機能モジュール３０と、を備えており、拡張応用モジュール３０はコンピュータユニット１０の充電電池２０によりコンピュータユニット１０内に接続され、これにより、コンピュータユニット１０と共に充電電池２０を共有する。
該充電電池２０は１１．１Ｖで、６０００ｍａのリチウム電池でも可能である。
【００２０】
実施例での拡張応用機能モジュール３０が携帯電話モジュールであり、コンピュータユニット１０がハンドヘルド式ノートパソコン、またはポケット式コンピュータのコンピュータ機能モジュールとして設けることが可能であり、該応用システムが２Ｇ、または３Ｇ／４Ｇのネットワークであっても音声とデータの同期処理を実現することができる。事務所、家、喫茶店、空港、ホテルなどの室内環境で、ネットワークカードを利用してＡＤＳＬ有線のインターネットへのアクセス、ＷｉＦｉ無線のインターネットへのアクセスを実現し、コンピュータユニット１０でデータ業務を処理すると同時に、携帯電話モジュールで固定電話を掛けたり受けたりすることができるため、音声とデータの同期処理を実現することができる。下記では、それぞれ２Ｇと３Ｇ／４Ｇに対して説明を行う。
【００２１】
３Ｇ／４Ｇの状況において、１つの搬送波上で音声とデータ業務を同時にサポートすることができるため、室外環境では、携帯電話モジュールを用いて無線広域ネットワーク（ＷＷＡＮ）のモデム（Ｍｏｄｅｍ）とすると同時に、それぞれ同一の搬送波上で携帯電話モジュールにより音声ストリームを処理し、コンピュータユニット１０によりデータストリームを処理し、両者は同時に行うことができ、相互に干渉しない。電話を受けるときにデータのダウンロードとデータのアップロードのプログラムを中段する必要がある。音声と映像などのリアルタイムのデータストリームを伝送するときに、ユーザーデータグラムプロトコル（Ｕｓｅｒ  Ｄａｔａｇｒａｍ  Ｐｒｏｔｏｃｏｌ、ＵＤＰ）を用いてプロトコルを行うことができ、データパケットを伝送するとき、伝送制御プロトコル／インターネットプロトコル（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ，ＴＣＰ／ＩＰ）を用いてプロトコルを行うことができる。ユーザーがＵＤＰパケットに対する優先度の使用を選択するときに、無線通信プロトコルの変更により更に良好な音声通信を実現することができる。それ以外に、ユーザーは需要によりＵＤＰストリームの優先レベルを定義して、充分な帯域幅の優先を確保してＵＤＰストリームに保留し、ＵＤＰストリームが存在しない状況で、他のデータストリームは依然としてその部分の帯域幅を占用することができる。
【００２２】
コンピュータユニット１０において、具体的に実現する際に、ＸＰ  Ｔａｂｌｅｔのようなコンピュータ操作システム、ＲＡＭ  １Ｇのようなコンピュータシステムメモリ、ＣＰＵ  １．６Ｇのようなコンピュータプロセッサ、１．８インチハードディスクＨＤ３０Ｇ−１２０Ｇのような容量を有する。
【００２３】
携帯電話モジュールにおいて、具体的に実現するときに、Ｗｉｎｄｏｗｓ  Ｍｏｂｉｌｅのような携帯電話操作システム、プロセッサＭＣＵ  ４００Ｍのようなコンピュータプロセッサ、ＲＯＭ  ６４Ｍのような携帯電話記憶器、メモリＲＡＭ  ６４Ｍのような携帯電話システムメモリを含む。
【００２４】
コンピュータユニット１０内に通信情報、マルチメディアファイル、安全証書などの重要なデータと重要な情報を記憶する共有記憶器を設けることができ、他の関係のない応用ソフトはアップロードしない。該共有記憶器はメモリ半導体ドライブ（ＳＳＤ）であることも可能であり、該ＳＳＤ半導体ドライブは、携帯電話モードではメモリカードと呼ばれ、コンピュータモードではＦドライブとされる。その読取と記憶されたモードは携帯電話モジュールとコンピュータユニット１０によりそれぞれ読取、訂正され、優先度を設定し、このような複雑な入力はコンピュータユニット１０内で操作ができ、簡単な入力は携帯電話モジュール内で操作ができる。ＳＳＤ半導体ドライブはＦＬＡＳＨチップを記憶媒体にし、高速の移動、更なるひっくり返し傾斜を伴う状況でも通常の使用に影響が生じなく、更にノートパソコンが落とされ、または硬い物と衝突したときのデータを失う可能性を最小限まで低減し、更なる良好な防震効果を提供する。データを記憶する時間が長くなり、ファイルの検索速度が速くなり、システムの電源消費量を節約し、長持ち耐用で、防震性と信頼性が高いなどの特徴を有する。
【００２５】
その他に、コンピュータユニット１０に、予め設ける重要データ以外の情報の記憶に用いるＨＤＤハードディスクを更に設けることが可能である。ＨＤＤハードディスクのコストが比較的に低くて、ＳＳＤ半導体ハードディスクのコストが比較的高いため、本考案が利用する方法は、モバイル環境でＨＤＤを大容量のハードディスクにすると同時に、１Ｇ−４ＧのＳＳＤ半導体ハードディスクを利用して通信情報、マルチメディア情報と安全証書類情報のような重要なデータを記憶し、これにより、低コストの大容量メモリを提供するだけではなく、重要なデータの安全安定に対する保護も提供すると同時に、電力消耗を減少して、モバイルオフィス環境に適応する。
【００２６】
前記安全証書類情報は多くのユーザーが使用するインターネットバンク、インターネット証券、会社内部権限、政府内部権限などで安全証書を必要するネットワーク応用である。
【００２７】
本考案は異なるネットワーク状態で異なる解決方法を採用する。２Ｇ環境状態において、室内ではＶＯＩＰ無料広域ネットワーク電話によって音声業務を完成し、室外では通話料を払って音声業務を完成するため、通話料を最大限に低減することができる。３Ｇ／４Ｇの無線広域が相互接続された状態において、室内外では全てＶＯＩＰ無料広域ネットワーク電話を利用して国内長距離電話、国際電話と市内電話を掛けることができるため、全面的に無料通話を実現する。その他に、本考案のユーザー端末システムは１つのＷＬＡＮ／３Ｇのデュアルモード端末として、ＷＬＡＮのカバーエリア内で、通常は優先的にＷＬＡＮ接続を使用する。これは、ユーザーが使用する業務の料金が更に低くなり、データ業務の帯域幅が更に充分であるためだ。ＷＬＡＮのカバーエリアを離れると、端末が自動的に３Ｇネットワークに切り替えることで、ＷＬＡＮと３Ｇ間の音声の連続性を実現する。実際はサービスが更によく、費用が更に低い通話サービスである。
【００２８】
前記ＶＯＩＰはほぼいかなる音声通信を必要とする事務室間の交流、複雑な点に多数点が対応する電話会議と白色版システムなどの場合に使用される。それは、リアルタイムの作動方式に基づくことも可能であり、記憶−伝送方式の音声サービスの提供に用いることも可能である。かつ、リアルタイムと記憶−転送の２つ方式は必ず併用すべきで、相互操作が可能である。
【００２９】
その他に、ハンドヘルドユーザー端末で情報を伝送するときに、仮想世界中の電子アドレスと真実世界中の携帯電話番号を結合して個人識別コードにすることで、ユーザーが送信するメッセージと電子メールは、電子アドレスと携帯電話番号を結合する暗号化識別コードを携帯しており、相手が必ず同じ識別コードを戻せば、ユーザーはやっと受信することができ、反面拒否される。これにより、迷惑メールと迷惑メッセージを有効的に減少し、インターネットバンク、インターネット証券、インターネット掲示板システムとブログの個人識別標識または権限、業務認証管理のパスワードとして、インターネット上の信用体系建設を大幅に補強し、電子商取引の応用を推進する。同じく、インターネットバンク、インターネット証券、インターネット掲示板システムとブログでもこのような識別コードを利用することができ、かつ、暗号解読によりユーザーのメールアドレス、ＩＰアドレスと携帯電話番号を調べ出すため、仮想世界と現実世界中でユーザーの身分と位置を正確に確認することができ、ネットワークの犯罪とネットワークの暴力を減少することができる。
【００３０】
その他に、本考案はＩＰマルチメディアサブシステム（ＩＰ  Ｍｕｌｔｉｍｅｄｉａ  Ｓｕｂｓｙｓｔｅｍ、ＩＭＳ）技術をコアとする次世代ネットワーク（ＮＧＮ）をサポートしており、リアルタイムまたは非リアルタイム情報業務、マルチメディア呼び出し音声業務、増強型呼び出し管理、集団業務などを含み、かつ、異なる通信媒体を集合し、オンラインの情報共有通信を同時にし、複数のユーザーがリアルタイム的に同じデータファイルを処理することができ、シングルチップゲームから複数ユーザーがオンラインでマルチメディアにより交流するオンライン娯楽までに達することができる。
【００３１】
本実施例はコンピュータユニットと携帯電話モジュールにより、同一テーブル上で異なる交流方式のユーザーを大量に検索、管理、追跡することができるため、大幅にユーザーの満足度と作業効率を高めることができる。例えば一部のユーザーは電子メールでの交流だけを希望または使用し、一部のユーザーは電話での交流だけを希望または使用し、一部のユーザーはＱＱ交流のような即時の通信機能だけを希望または利用し、一部のユーザーはメッセージ交流だけを希望または利用することに対して、ユーザーが異なる交流方式を使用することでユーザーに生じる違和感を避けるだけではなく、全ての通信とデータが２つの異なるデバイスに分散されて、全ての同期が不可能で、全ての音声とデータの統一管理が難しいことを避けるため、大幅にユーザー満足度と作業効率を高めることができる。
次は、本考案の実施例でのコンピュータ充電電池の他の多機能応用に対して詳細に説明する。
【００３２】
拡張応用機能モジュールが携帯電話モジュールであるとき、前記携帯電話モジュールもコンピュータユニットと共にＳＳＤを共有するため、充電電池に基づく拡張通信機能を実現することができる。拡張応用機能モジュールがスキャナーモジュールであるとき、前記スキャナーモジュールが有線または無線方式により前記コンピュータユニットと接続するため、充電電池に基づく拡張スキャナー機能を実現することができる。拡張応用機能モジュールが投影装置モジュールであるとき、前記投影装置モジュールが有線方式（例えばデータ線である）または無線方式により前記コンピュータユニットと接続するため、充電電池に基づく拡張投影装置機能を実現することができる。拡張応用機能モジュールがプリンタモジュールであるとき、前記プリンタモジュールが有線または無線方式により前記コンピュータユニットと接続するため、充電電池に基づく拡張プリンタ機能を実現することができる。拡張応用機能モジュールがインタホンモジュールであるとき、前記充電電池電源の拡張機能ユニットは標準インタホンの電源インタフェースまたは充電電源のインタフェースを利用するため、充電電池のインタホン機能を実現することができる。拡張応用機能モジュールがマイクロ型ＣＤ−ＲＯＭドライブモジュールであるとき、前記マイクロ型ＣＤ−ＲＯＭドライブモジュールは有線または無線方式により前記コンピュータユニットと接続するため、充電電池のマイクロ型ＣＤ−ＲＯＭの機能を実現することができる。拡張応用機能モジュールがＧＰＳモジュールであるとき、前記ＧＰＳモジュールは有線または無線方式により前記コンピュータユニットと接続するため、充電電池に基づくＧＰＳ機能を実現することができる。
下記ではそれぞれに関して説明する。
【００３３】
【表１】
0003171425.tif 000003
【００３４】
次は、投影装置モジュールを例として、関連の解決方法と応用実施例を詳細に説明する。
コンピュータが３０トンの重さ、１部屋の大きさから５００グラム以下のハンドヘルド式ノートパソコンまたはポケット式ＰＣに発展したとき、新しい応用問題が発生する。例えば、表示面積が小さいことで、文字が小さくなり、画像の表示効果が理想的ではなく、ウェブページの表示範囲が比較的に小さいことに対して、コンピュータの拡大と縮小キーで調整し、または外接テレビとディスプレイにより多くの人が共有できる問題を解決するが、外接ディスプレイまたは液晶テレビが存在しないとき、表示面積をどのように拡大して多くの人が共有できるかに関して、本実施例では多機能ノートパソコンの電池に硬貨ほどの大きさのレーザ投影装置モジュールを内蔵する。該モジュールは体積が極小であるが、壁上に７インチから１７インチ大きさの投影帯域で投影することができる。
【００３５】
これにより、ハンドヘルド式ノートパソコンまたはポケット式ＰＣ内に記憶されている、またはインターネット上でダウンロードまたは伝送するストリーム媒体、イメージ、文字、映像を随時随所で放送することができ、屋外映画館を現実することができ、かつ、ＰＣに内蔵されているＬＣＤまたはＬＥＤディスプレイを引き換えることも可能であり、無スクリーン表示のノートパソコンとポケット式ＰＣにすることも可能である。通常はディスプレイのコストがＰＣ総コストの３０％を占めているため、ポケット式ＰＣのコストと価格を大幅に低減することができる。
投影装置モジュールは３  ＬＣＤ技術と１  ＬＣＤ技術の２つ方式により実現可能である。
【００３６】
コンピュータから直接プロジェクターに映像を送る映写技術ＤＬＰ（ｄｉｇｉｔａｌ  ｌｉｇｈｔ  ｐｒｏｃｅｓｓｉｎｇ）の投影装置モジュールは、ＤＭＤマイクロミラーシステムを利用して、もっと小さくすることができ、多機能ノート電池または携帯電話内に集成されることも可能である。該投影装置モジュールは３ビームレーザ、ＤＬＰチップ、電源を有し、長さは１．５インチである。ＤＬＰチップは非常に多い移動マイクロミラーを処理投影によりスクリーン上に拡大することができ、スクリーンまたは壁上にＤＶＤ品質を表示する映像内容を投影することも可能であり、これにより、ビデオディスプレーまたはテレビに変身することができる。該投影装置モジュールを使用することで、本当の“スクリーン”サイズはノートパソコンと携帯電話上の液晶ディスプレイに比べてはるかに大きくなっている。内蔵されている投影装置モジュールでウェブページを見ることができ、文学作品を鑑賞し、ビデオ／オーディオの娯楽番組が見られることは大幅に消費者の体験を改善する。
【００３７】
従来の投影装置モジュールはそれぞれ赤、緑、青の３種類の異なる映像信号を出力する３つの異なるＬＣＤパネルを含み、このような新型投影装置モジュールは単一ＬＣＤパネルだけを利用するため三色の転換を実現することができ、これにより、投影装置の体積と製造コストを減少することができる。例えば、新型投影装置ＬＣＤパネルは０．２４インチだけであり、容易にポケット式ＰＣ電池または携帯電話内に集成されることができる。
【００３８】
このような投影技術は、レンズ角度を調節して光源の反射光をスクリーン上の表示システムに投射する技術であり、小型スキャニングミラーにより、半導体レーザの光ビームを外部平面上に投影することができ、体積が小さいためポケット式ＰＣまたは携帯電話内に集成される。具体的に、前記マイクロ投影装置は、反射光スキャニングを行う際に、通常２維スキャニングレンズの構造を必要とする。該構造は縦方向スキャニングレンズのアクチュエータと横方向スキャニングレンズのアクチュエータにより係合構成される。映像の表示を実現するなら、縦方向と横方向のスキャニングはそれぞれ６０Ｈｚと数ＫＨｚ以上の周波数を必要とする。駆動部分にポリマーを使用しているため、数十Ｈｚ周波数のスキャンを実現することができる。
【００３９】
駆動は普段電磁方式を利用しており、永久磁石とコイルを巻回する電磁石により駆動される。ポリマーは可動部位−−レンズの支柱上に使用される。試作セルの大きさは６ｍｍ×１２ｍｍ×３．７ｍｍであり、将来的は更に小さく製造することができる。これにより、小型化設計のＭＥＭＳ技術に適用され、ポケット式ＰＣ電池または携帯電話上での応用を実現し、７インチから１７インチの帯域内に画面を表示することができる。
次にスキャナーモジュールを例として、関連する解決方法と実施例を詳細に説明する。
【００４０】
スキャナーモジュールは適用範囲が広くて、ビジネス人員、記者、建築家、技師、会計士、保険代理店、政府役員、先生、学生、銀行業、保険業、証券業、弁護士、司法人員、研究機構、建築、不動産開発などに使用される。本考案は普段のスキャナーではスキャニングが難しくて更にスキャニングができない建築施工図面、各種新聞雑誌、図書、商業領収書、商業合同、ポスター壁紙、イメージ地図、重要ファイル、新聞、雑誌、書籍、筆記、領収書、合同、重要ファイル、証明書、計画図、スケッチ、教科書、参考材料などのファイル、ドキュメントをスキャニングすることができる。
【００４１】
スキャナーモジュールはサイズが１００ｍｍｘ１３ｍｍ、重さが３０グラム、スキャニング解像度が６００ｄｐｉから２００ｄｐｉであり、スキャニングモードは黒／白（１ｂｐｐ）、灰色（４／８ｂｐｐ）、低精度カラー（１２Ｂｉｔ）、高精度カラー（２４Ｂｉｔ）の４種モードの選択をサポートし、それぞれのモードはユーザーが高精度モードまたは一般モードを自由に選択するようにし、ｕｓｂインタフェースはキースキャーニング機能を有し、名刺識別管理、ドキュメント識別管理機能をサポートしており、内部に画像文字管理ソフト、ＢＣＲ名刺管理ソフト、ＯＣＲテキスト識別ソフト（ＯＣＲソフトにより印刷文字をスキャニングして電子ドキュメントに変換し、中国語簡体字、繁体、韓国語、日本語、英文の５種類文字のＯＣＲスキャニングソフトをサポートする）がインストールされており、スキャニングソフトはＷｉｎｄｏｗｓ  Ｉｍａｇｉｎｇ、ＰＨＯＴＯ  Ｓｈｏｐと他の類似の画像処理ＯＣＲソフトをサポートする。デバイスの特徴として、多数のローラ、安定制御システムはコンピュータモジュールと共有する２Ｍから８Ｍのメモリを有し、白黒のドキュメントに対して、該メモリは最高４００ページのＡ４紙の内容を記憶することができ、コンピュータに直接伝送することができ、使用が非常に便利であり、普通のスキャナーの体積が膨大で、携帯が不便で、有線で連結しなければならない面倒を防ぐことができる。
【００４２】
メモリをキャッシュメモリとすることにより、コンピュータモジュールのハードディスクをスキャナーの拡張メモリ空間にするため、該スキャナーモジュールの全てのメモリ容量を数万倍に拡張し、数メガから百Ｇ以上に拡張することができる。
【００４３】
汎用のマイクロスキャナー以外、本考案は多機能電池内に特殊のペン型スキャナーモジュール、名刺スキャナーモジュールとマイクロバーコードのスキャナーモジュールを内蔵することができる。
【００４４】
マイクロバーコードのスキャナーはマーケット、倉庫、図書館、実験室、会社と協力して、自動的にデータを入力するため、製品チェックとデータ処理能力を大幅に向上することができる。バーコードスキャナーはそれぞれのバーコード製品のために設けられており、該バーコードスキャナーは多種型と異なる形式のバーコードをスキャニングすることができる。その高速機能は全てのバーコード情報が一回にスキャニングされて得られるように確保するため、１００％のデータの完全性を実現し、手動でのデータ入力操作を防ぐことができ、かつ、通常処理の自動化によりこれらの需要を満たしている。生産効率が向上されると同時に、総コストを大幅に低減し、一部の従業員を簡素化して複雑な作業に従事させることができる。該バーコードスキャナーの専有アルゴリズムは小さくて、損傷されているまたは印刷が不明瞭であるコードを解読できるだけではなく、多種型のバーコード情報の解読にとって優れている。バーコードのスキャナーモジュールは極めて精巧な外形（面積が４．５平方センチメートル、高さが２．２センチメートル、重さが２オンスより軽い）を有しており、自己定義のデータ出力方式とＷｉｎｄｏｗｓに基づくインターフェースとを利用し、ポケット式ＰＣとノートパソコン内に集成されることができる。
【００４５】
名刺スキャナーモジュールは、一枚の名刺を入力するのに３秒だけかかり、手動で名刺を入力する時間より６０倍速くなり、普段収集されている名刺を軽く挿し込むだけで、名刺情報は迅速にコンピュータ内に自動に入力されており、カードを刷るような操作であるため、名刺は山ほど堆積されることなく、乱雑しない。名刺の資料まとめ管理は気楽で自得することができる。自動的に理解し、正確に識別することができ、名刺版面の制限を受けなくなり、自動的に識別して簡体繁体中国語、英文、数値が混合して排列されている名刺を理解することができ、ほぼ百種類の印刷書体を正確に識別し、かつ、簡体字、繁体字、香港文字の１２０００以上の文字を識別することが可能であり、識別率が高くて、速度が速い。分類管理が可能で、迅速に検索することができ、名刺ファイルの中で１つの名刺を検索するのに１秒だけかかり、姓名、携帯電話、帯域などの方式で名刺を検索する以外に、名刺を呼び出すことができ、必要とする名刺は迅速に何万枚の名刺の中から目の前に現れ、知能のファジーなクエリー検索もあなたが残したファジーな記憶により名刺を探し出すことができる。これにより、名刺探しに時間がかかり、名刺を探す出すことができない面倒を防ぐことができ、名刺の情報を永遠に失うことがない。
【００４６】
ペン型スキャナーモジュールは、多種文字の識別をサポートするだけではなく、多種のフォント識別もサポートし、かつ、文字、イメージも気楽に切換えることができ、識別率が９８％で，一分間に６００以上の漢字を気楽に入力することができる。
【００４７】
画像の文字連続スキャニングは、迅速に識別ができ、瞬間に伝送が可能であるため、待つ必要がない。９８％に達する識別率で宋体、楷体、黒体、魏碑、隶書、行楷などの百種類以上の中国語の簡体繁体、英文、数字、特殊コードなどが混合して排列されているテキストを識別することができ、迅速に識別ができ、即時に出力が可能であるため、他の繁雑な入力操作が不要である。知能で中国語の簡体と繁体を識別することができ、かつ需要によって繁体をスキャニングして簡体に出力し、または簡体をスキャニングして繁体に出力することが可能であり、知能で浮動ウィンドウを追跡し、極大的にユーザーの校正作業を簡便にし、文字、イメージを気楽に切換えることができ、サイン署名のドキュメントを自由に挿入することができ、直接に文字をカーソル部位、人間化の隠れ界面に伝送し、いかなるスクリーン界面を完全に占用しない。
次にプリンタモジュールを例にして、関連する解決方法と応用実施例を詳細に説明する。
下記では応用場合において、マイクロプリンタは幅広く、
医療機器  計器器具  ハンドヘルド機器
消防機器  測定機器  モバイルデバイス
分析機器  電力機器  情報検索端末
秤量機器  記録デバイス  携帯機器、に応用される。
【００４８】
ポケット式ＰＣの出力プリントにより、手書き誤差を防ぐ、情報の正確と確実を確保し、迅速に書類を提供し、完全的にモバイルオフィスの需要を満たすことができる。
【００４９】
例えばハンドヘルド式感熱プリンタを例とし、該マイクロプリンタはポケット式ＰＣによりセットして使用される。体積が小さくて、重さが軽くて、機能が確実で、接続が不要で、使用が便利である特徴を有するため、屋外作業の環境に適用される。主にモバイル警務システム、たばこ配送システム、公共事業のメータ読取りシステム、モバイルオフィス／モバイル物流システム、携帯式計器器具／検出デバイスのセットデバイスなどの範囲に適用される。
次はＧＰＳモジュールを例として、関連解決方法と応用実施例に対して詳細に説明する。
【００５０】
ＧＰＳはマイカー旅行、屋外探険、徒歩旅行の愛好者が普段使用している物品である。時代の発展と科技の進歩により、国民の生活水準は徐々に向上され、自動車は段々庶民の家庭に使用されている。これにより、関連する自動車消費も増加し、全体の産業チェーンの迅速成型を連動する。一瞬間に自家用車は多くの消費者の生活方式になっており、マイカー旅行はほぼ話題の焦点になっている。よく知らない都市と道路状況に対して、電子ナビゲーターが自分を伴うことで多くの時間と油費用を節約するため、マイカー所有者にとって電子ナビゲーターは相当に重要な物である。将来性を予測しているメーカーはもっと早くナビゲーターの商品に対して所定の研究と開発を行っており、市場の順次成熟に加えて、ＧＰＳ製品は潮水ように激しく現れている。
本考案のＧＰＳモジュールは、埋め込み式と取外し可能式の２種類により分離されており、
【００５１】
埋め込み式はＳｉＲＦ、ＩＩＩまたはＨａｍｍｅｒｈｅａｄ  ＩＩチップを利用しており、その全世界で最小のＧＰＳ受像器チップは、ＬＮＡ、ＲＦｄｏｗｎ−ｃｏｎｖｅｒｔｅｒ、信号処理基本周波数技術に活用して、１つのＲＦ  ＣＭＯＳ顆粒上に設けられているため、該超小のシングルチップのサイズは３．７４ｍｍ  ｘ  ３．５９ｍｍ  ｘ  ０．６ｍｍだけで，その総サイズも１４ｍｍ平方より小さいことで、現在全世界で最小型のＧＰＳ受像機と呼ばれる。体積は全世界で最小であるが、提供する感度は依然として１６０ｄＢｍに達し、測位時間は１秒間に達しており、高性能、低パワー、超小体積のハンドヘルドデバイスと携帯電話の需要を満たすことができる。
取外し可能式は、ブルートゥース無線とＵＳＢ有線の２種類の接続方式に更に分離されており、
【００５２】
ブルートゥース技術の急激な発展に従って、多くのＧＰＳモジュールは独立されており、ブルートゥースのような無線方式により接続される。これにより、ブルートゥース機能を有するハンドヘルドデバイスは相応のソフトをインストールした後に１つのＧＰＳ衛星ナビゲーションシステムになって、全世界で最小のブルートゥースＧＰＳ受像機とされる。体積サイズは６４×２２×１６ｍｍで、電池を含んでも重さは４０グラムしかならない。アメリカＳｉＲＦが内蔵されている最新第３世代の節電ＧＰＳ衛星測位受信チップを採用しており、該第３世代受信チップは最大２０つの衛星信号を受信することがきる。
【００５３】超小型のＧＰＳ  ＵＳＢ装置はハンドヘルド式ノートパソコン（ｎｏｔｅ  ｂｏｏｋ）または超軽量型パソコン（ＵＭＰＣ）に衛星測位機能を加えている。（公序良俗違反につき、不掲載）、（公序良俗違反につき、不掲載）と他の応用ソフトに適合して、ナビゲーション、航跡記録に用いられ、面白い地方を記録することができ、写真に経度と緯度資料（ＧｅｏＴａｇｇｉｎｇ）などを加えることができる。オンライン地図またはオンライン衛星写真により、他人と明確にあなたの体験および今後の思い出の喜びを分けることができる。次に、インタホンモジュールを例として、関連の解決方法と応用実施例に対して詳細に説明する。無線インタホンの用途は非常に幅が広い。１、恋人同士の対話、母子対話、老人看護、患者室との対話、警察逮捕、建築施工、２、ビルでの対話、保安の機密保持、学校教育、政府会議、軍事訓練、旅行登山、３、ウィンドウショッピング、祝日でのプレゼント、同僚とクラスメートとのプレゼント、４、広報活動会社／映画制作会社、娯楽施設、祝祭サービス、組織大型活動、旅行会社、建築／内装会社、地域福祉サービス、などである。
【００５４】
全機能、全天候、随時随所の全面的な通信道具は非常に重要であり、外出旅行、探険、大型マーケットショッピング、大型の屋外演唱会と大型祝典活動への参加、敵の後方に入る軍事行動などは即時の連絡の保持が必要とされるが、これらの一部の地方に電話回線がなく、携帯電話の信号がないときに、デジタル無線インタホンモジュールを用いて補充通信作用を充分に発揮することができる。
【００５５】
本考案が利用する埋め込み式と取外し可能式無線インタホンモジュールは、自由に対話を行うことが可能で、押すだけで、１対１、１対複数での話が可能であり、ネットワークの制限を受けなく、いかなる通話料が不要で、ライセンスの申請が不要で、相手の話がよく聞こえ（自動騒音制御機能）、体積が小さくて（普通の電子腕時計の大きさ）、重さが軽くて（１８グラムだけである）、待ち時間が長くて、通話距離は３キロメートルになり、手動で通話モード（音声制御機能）を切換えることが不要で、数十チャンネルを任意に選択することができ、多方の会議機能を有し、かつ、超大液晶ディスプレイと自動ロッキング、節電待機などの機能を有し、１対１、１対複数、複数対複数方の通話ができる。
【００５６】
ポケット式ＰＣとの結合により、コンピュータとインタホンの機能を同時に実現し、これにより、携帯電話の信号、ネットワークの信号の有無に関係なく、流暢な通信を保持することができ、全機能、全天候、随時随所の全面的な通信を実現することができる。
図３は、本考案の多機能コンピュータ充電電池の実現方法のプロセスを示す図であり、該プロセスは、
【００５７】
コンピュータユニットをハンドヘルド式ノートパソコンのコンピュータ機能モジュールまたはポケット式コンピュータのコンピュータ機能モジュールとして設け、具体的に実現する際に、デバイスの小型化を実現し、かつ、他の機能の集成を便利にするため、前記コンピュータユニットは小型化が必要とされため、ハンドヘルド式ノートパソコンのコンピュータ機能モジュールまたはポケット式コンピュータのコンピュータ機能モジュールの設計を採用する手順Ｓ１１と、
【００５８】
充電電池本体と、前記充電電池本体とコンピュータユニットを接続して前記充電電池本体が前記コンピュータユニットのために電力を供給し、または充電するようにするコンピュータインタフェースと、を提供し、具体的に実現する際に、前記コンピュータインタフェースが通常のコンピュータ電源インタフェースである手順Ｓ１２と、
【００５９】
前記充電電池体と拡張応用機能モジュールを接続して前記充電電池本体が前記拡張応用機能モジュールのために電力を供給し、または充電するようにする拡張コンピュータインタフェースを提供し、具体的に実現する際に、異なる拡張応用機能モジュールにより、前記拡張コンピュータインタフェースと拡張応用機能モジュールが必ず対応する（具体的には前述の説明を参照し、ここでは説明しない）手順Ｓ１３と、
【００６０】
本考案は埋め込み式により拡張応用機能モジュールと前記充電電池本体を一体に結合し、または取外し可能式により拡張応用機能モジュールと充電電池本体を結合し、かつコンピュータユニットと拡張応用機能モジュールのそれぞれの機能を結合して多機能応用を実現することができ、例えば、コンピュータと携帯電話機能の集成応用、コンピュータと投影装置機能の集成応用、コンピュータとスキャナー機能およびコンピュータとプリント機能の集成応用などである（ここでは説明しない）手順Ｓ１４と、を備える。
【００６１】
前述は本考案の有効的な実施方式であり、指摘することとして、本技術領域の普通の技術員にとって、本考案の原理を離れていない前提で、更に若干の改善と修飾を行うことが可能であるが、これらの改善と修飾は本考案の請求項の保護範囲に属する。
【図１】
0003171425.tif 000004
【図２】
0003171425.tif 000005
【図３】
0003171425.tif 000006
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
多機能コンピュータ充電電池応用システムであって、コンピュータユニットと、コンピュータの充電電池本体と、前記充電電池本体とコンピュータユニットを接続して前記充電電池本体が前記コンピュータユニットのために電力を供給し、または充電するようにするコンピュータインタフェースと、を備え、
前記コンピュータユニットはハンドヘルド式ノートパソコンまたはポケット式コンピュータのコンピュータ機能モジュールとして設けられており、かつ、埋め込み式又は取外し可能式により前記充電電池本体に結合する拡張応用機能モジュールを更に備えており、前記充電電池本体は前記拡張応用機能モジュールのために電力を供給し、または充電するように設けられており、ここで、前記拡張応用機能モジュールは、埋め込み式により前記充電電池本体と一体に結合し、または取外し可能式により充電電池本体と結合することを特徴とする多機能コンピュータ充電電池応用システム。
【請求項２】
前記拡張応用機能モジュールは携帯電話モジュールであり、該携帯電話モジュールは有線または無線方式によりコンピュータに接続されていることを特徴とする請求項１に記載の多機能コンピュータ充電電池応用システム。
【請求項３】
前記拡張応用機能モジュールは携帯電話モジュールであり、該携帯電話モジュールとコンピュータユニットがＳＳＤを共有していることを特徴とする請求項１に記載の多機能コンピュータ充電電池応用システム。
【請求項４】
前記拡張応用機能モジュールはスキャナーモジュールであり、前記スキャナーモジュールは有線または無線方式によりコンピュータユニットと接続していることを特徴とする請求項１に記載の多機能コンピュータ充電電池応用システム。
【請求項５】
前記拡張応用機能モジュールは投影装置モジュールであり、前記投影装置モジュールは有線または無線方式によりコンピュータユニットと接続しており、または
前記拡張応用機能モジュールはプリンタモジュールであり、前記プリンタモジュールは有線または無線方式によりコンピュータユニットと接続していることを特徴とする請求項１に記載の多機能コンピュータ充電電池応用システム。
【請求項６】
前記拡張応用機能モジュールは全地球測位システムＧＰＳモジュールであり、前記全地球測位システムモジュールは有線または無線方式によりコンピュータユニットと接続しており；または
前記拡張応用機能モジュールはマイクロ型ＣＤ−ＲＯＭドライブモジュールであり、前記マイクロ型ＣＤ−ＲＯＭドライブモジュールは有線または無線方式によりコンピュータユニットと接続していることを特徴とする請求項１に記載の多機能コンピュータ充電電池応用システム。
【請求項７】
前記拡張応用機能モジュールはインタホンモジュールであり、前記充電電池は取外し可能であるインタホン電源のインタフェースまたは充電電源のインタフェースを利用することを特徴とする請求項１に記載の多機能コンピュータ充電電池応用システム。
【手続補正２】
【補正対象書類名】明細書
【補正対象項目名】００５３
【補正方法】変更
【補正の内容】
【００５３】
超小型のＧＰＳ  ＵＳＢ装置はハンドヘルド式ノートパソコン（ｎｏｔｅ  ｂｏｏｋ）または超軽量型パソコン（ＵＭＰＣ）に衛星測位機能を加えている。地図ソフトなどの他の応用ソフトに適合して、ナビゲーション、航跡記録に用いられ、面白い地方を記録することができ、写真に経度と緯度資料（ＧｅｏＴａｇｇｉｎｇ）などを加えることができる。オンライン地図またはオンライン衛星写真により、他人と明確にあなたの体験および今後の思い出の喜びを分けることができる。
次に、インタホンモジュールを例として、関連の解決方法と応用実施例に対して詳細に説明する。
無線インタホンの用途は非常に幅が広い。
１、恋人同士の対話、母子対話、老人看護、患者室との対話、警察逮捕、建築施工、
２、ビルでの対話、保安の機密保持、学校教育、政府会議、軍事訓練、旅行登山、
３、ウィンドウショッピング、祝日でのプレゼント、同僚とクラスメートとのプレゼント、
４、広報活動会社／映画制作会社、娯楽施設、祝祭サービス、組織大型活動、旅行会社、建築／内装会社、地域福祉サービス、などである。
【手続補正３】
【補正対象書類名】明細書
【補正対象項目名】００２３
【補正方法】変更
【補正の内容】
【００２３】
携帯電話モジュールにおいて、具体的に実現するときに、Ｗｉｎｄｏｗｓ  Ｍｏｂｉｌｅ（登録商標）のような携帯電話操作システム、プロセッサＭＣＵ  ４００Ｍのようなコンピュータプロセッサ、ＲＯＭ  ６４Ｍのような携帯電話記憶器、メモリＲＡＭ  ６４Ｍのような携帯電話システムメモリを含む。
【手続補正４】
【補正対象書類名】明細書
【補正対象項目名】００２４
【補正方法】変更
【補正の内容】
【００２４】
コンピュータユニット１０内に通信情報、マルチメディアファイル、安全証書などの重要なデータと重要な情報を記憶する共有記憶器を設けることができ、他の関係のない応用ソフトはアップロードしない。該共有記憶器はメモリ半導体ドライブ（ＳＳＤ）であることも可能であり、該ＳＳＤ半導体ドライブは、携帯電話モードではメモリカードと呼ばれ、コンピュータモードではＦドライブとされる。その読取と記憶されたモードは携帯電話モジュールとコンピュータユニット１０によりそれぞれ読取、訂正され、優先度を設定し、このような複雑な入力はコンピュータユニット１０内で操作ができ、簡単な入力は携帯電話モジュール内で操作ができる。ＳＳＤ半導体ドライブはＦＬＡＳＨ（登録商標）チップを記憶媒体にし、高速の移動、更なるひっくり返し傾斜を伴う状況でも通常の使用に影響が生じなく、更にノートパソコンが落とされ、または硬い物と衝突したときのデータを失う可能性を最小限まで低減し、更なる良好な防震効果を提供する。データを記憶する時間が長くなり、ファイルの検索速度が速くなり、システムの電源消費量を節約し、長持ち耐用で、防震性と信頼性が高いなどの特徴を有する。
【手続補正５】
【補正対象書類名】明細書
【補正対象項目名】００４１
【補正方法】変更
【補正の内容】
【００４１】
スキャナーモジュールはサイズが１００ｍｍｘ１３ｍｍ、重さが３０グラム、スキャニング解像度が６００ｄｐｉから２００ｄｐｉであり、スキャニングモードは黒／白（１ｂｐｐ）、灰色（４／８ｂｐｐ）、低精度カラー（１２Ｂｉｔ）、高精度カラー（２４Ｂｉｔ）の４種モードの選択をサポートし、それぞれのモードはユーザーが高精度モードまたは一般モードを自由に選択するようにし、ｕｓｂインタフェースはキースキャーニング機能を有し、名刺識別管理、ドキュメント識別管理機能をサポートしており、内部に画像文字管理ソフト、ＢＣＲ名刺管理ソフト、ＯＣＲテキスト識別ソフト（ＯＣＲソフトにより印刷文字をスキャニングして電子ドキュメントに変換し、中国語簡体字、繁体、韓国語、日本語、英文の５種類文字のＯＣＲスキャニングソフトをサポートする）がインストールされており、スキャニングソフトはＷｉｎｄｏｗｓ（登録商標）  Ｉｍａｇｉｎｇ、ＰＨＯＴＯ  Ｓｈｏｐ（登録商標）と他の類似の画像処理ＯＣＲソフトをサポートする。デバイスの特徴として、多数のローラ、安定制御システムはコンピュータモジュールと共有する２Ｍから８Ｍのメモリを有し、白黒のドキュメントに対して、該メモリは最高４００ページのＡ４紙の内容を記憶することができ、コンピュータに直接伝送することができ、使用が非常に便利であり、普通のスキャナーの体積が膨大で、携帯が不便で、有線で連結しなければならない面倒を防ぐことができる。
【手続補正６】
【補正対象書類名】明細書
【補正対象項目名】００５１
【補正方法】変更
【補正の内容】
【００５１】
埋め込み式はＳｉＲＦ（登録商標）、ＩＩＩまたはＨａｍｍｅｒｈｅａｄ（登録商標）  ＩＩチップを利用しており、その全世界で最小のＧＰＳ受像器チップは、ＬＮＡ、ＲＦｄｏｗｎ−ｃｏｎｖｅｒｔｅｒ、信号処理基本周波数技術に活用して、１つのＲＦ  ＣＭＯＳ顆粒上に設けられているため、該超小のシングルチップのサイズは３．７４ｍｍ  ｘ  ３．５９ｍｍ  ｘ  ０．６ｍｍだけで，その総サイズも１４ｍｍ平方より小さいことで、現在全世界で最小型のＧＰＳ受像機と呼ばれる。体積は全世界で最小であるが、提供する感度は依然として１６０ｄＢｍに達し、測位時間は１秒間に達しており、高性能、低パワー、超小体積のハンドヘルドデバイスと携帯電話の需要を満たすことができる。
取外し可能式は、ブルートゥース無線とＵＳＢ有線の２種類の接続方式に更に分離されており、